(57)【要約】【課題】  平坦な地形の箇所などにおいて杭や樹木などを使用しなくとも侵入者の足や獣類の足などに係止し易く、装置としても小型化が図られる仕掛け罠装置を提供する。【解決手段】  わな線Ｗは、コイル状に加工された合金であり、このわな線Ｗをその先端側に取り付けられるアンカ２を介して敷設ユニットＷＵから螺旋状を呈するように引き出される。敷設ユニットＷＵは、草地や土などの所定の地形箇所に放出されるアンカ２と、アンカ２を詰め込む凹状部３Ｕと、凹状部３Ｕとアンカ２との間に配されアンカ２を放出する弾性部材２ｂとを備え、アンカ２は弾性部材２ｂの弾性力を利用して草地や土面などの所定の地形箇所に放出される。【選択図】  図３
2006252403.tif 000002
【特許請求の範囲】
【請求項１】
草地や土面などの所定の地形箇所に仕掛けられるわな線と、わな線を敷設する敷設ユニットとを備えた仕掛け罠装置において、わな線は、コイル状に加工された合金であり、このわな線がその先端側に取り付けられるアンカを介して敷設ユニットから螺旋状を呈するように引き出されることを特徴とする仕掛け罠装置。
【請求項２】
前記合金製のわな線が超弾性特性を有する形状記憶合金であることを特徴とする請求項１記載の仕掛け罠装置。
【請求項３】
前記敷設ユニットは、草地や土などの所定の地形箇所に放出されるアンカと、アンカを詰め込む凹状部と、凹状部とアンカとの間に配されアンカを放出する弾性部材とを備え、アンカは弾性部材の弾性力を利用して草地や土面などの所定の地形箇所に放出されることを特徴とする請求項１記載の仕掛け罠装置。
【請求項４】
前記わな線は、前記敷設ユニットの凹状部の外周か、又は、アンカの外周をボビン部として巻き回され、敷設ユニットから敷設のためにアンカの放出により引き出されると、ボビン部に巻き回されていたときの径よりも大きな径の螺旋状に引き出されることを特徴とする請求項３記載の仕掛け罠装置。
【発明の詳細な説明】
【技術分野】
【０００１】
本発明は、草地や土面などの所定の地形箇所に仕掛けられるわな線と、わな線を敷設する敷設ユニットとを備えた仕掛け罠装置に関する。
【背景技術】
【０００２】
従来、空港施設や、自衛隊の施設、軍事用の施設等の重要施設などへの立ち入りを防止するために、これらの施設や地域内に侵入した侵入者の足が仕掛け罠の線（ワイヤ）に引っかかると、光を照射したり、警戒音・威嚇音を発生させたりする装置が存在する。このような装置は、テロ対策が叫ばれる昨今その重要性を増し、新幹線の線路内への侵入防止の警備や、大規模イベントの警備等に使用されることが検討されている。一方、野生の猪や鹿等の獣類を捕獲する装置としては、特開平０６−２４５６８２号公報のように、地表内に挿入されるパイプ状の支柱の上端に、けきりの作動状態により支柱内の張りバネの付勢力を受けて係止自在に取り付けられる頭部を付設し、この頭部の上昇によりループ状の捕獲部を縮径せしめるロープを備えた捕獲具が開示されている。また、実開平０６−４１４８５号公報のように、ワイヤー本体２に撚り戻し器３を介在して連結され、ワイヤー本体２を遊嵌した環部５を有して拡大収縮可能なループワイヤー４を備えた野獣捕獲用括り罠が開示されている。
【特許文献１】特開平０６−２４５６８２号公報
【特許文献２】実開平０６−４１４８５号公報
【発明の開示】
【発明が解決しようとする課題】
【０００３】
上述のような仕掛け罠装置において使用される係止用の線（ワイヤ）としては、金属線や合成繊維や紐などが通常使用されている。しかしながら、平坦な地形の箇所などでは杭や樹木などを使用してわな線を地表より所定の高さ位置になり適度な姿勢にならなければ、侵入者の足や獣類の足などに係止し難くなる問題を有していた。一方、侵入者の足や獣類の足などに係止し易くするために、これを所定の大きさにしようとすると、その状態の形状に維持させる装置を敷設ユニットに設けなければならず、敷設ユニットが大型化する問題を有する。
【０００４】
そこで本発明の目的は、平坦な地形の箇所などにおいて杭や樹木などを使用しなくとも侵入者の足や獣類の足などに係止し易く、装置としても小型化が図られる仕掛け罠装置を提供することである。
【課題を解決するための手段】
【０００５】
本発明の請求項１記載の仕掛け罠装置は、草地や土面などの所定の地形箇所に仕掛けられるわな線と、わな線を敷設する敷設ユニットとを備えた仕掛け罠装置において、わな線は、コイル状に加工された合金であり、このわな線をその先端側に取り付けられるアンカを介して敷設ユニットから螺旋状を呈するように引き出されることを特徴とする。
【０００６】
本発明によれば、コイル状に加工された合金であり、このわな線を敷設ユニットから螺旋状を呈するように引き出されると、わな線は敷設ユニットから螺旋状を呈するように引き出されて、平坦な地形の箇所などでも杭や樹木などを使用しなくとも侵入者の靴（足）や獣類の足などに係止し易くなる。
【０００７】
本発明の請求項２記載の仕掛け罠装置は、前記合金製のわな線が超弾性特性を有する形状記憶合金であることを特徴とする。
【０００８】
本発明によれば、前記合金製のわな線が超弾性特性を有する形状記憶合金であると、敷設ユニットから螺旋状を呈するように引き出されると、この螺旋状の形状を維持する効果が大きく、しかも侵入者の靴（足）や獣類の足等により係止されると、敷設ユニットのスイッチ類を作動させるなどの適度な引っ張り力も得ることができる。
【０００９】
本発明の請求項３記載の仕掛け罠装置は、前記敷設ユニットは、草地や土などの所定の地形箇所に放出されるアンカと、アンカを詰め込む凹状部と、凹状部とアンカとの間に配されアンカを放出する弾性部材とを備え、アンカは弾性部材の弾性力を利用して草地や土面などの所定の地形箇所に放出されることを特徴とする。
【００１０】
本発明によれば、アンカは弾性部材の弾性力を利用して草地や土面などの所定の地形箇所に放出されると、わな線は敷設ユニットから螺旋状を呈するように引き出されて、侵入者の靴（足）や獣類の足などに係止し易くなる。
【００１１】
本発明の請求項４記載の仕掛け罠装置は、前記わな線は、前記敷設ユニットの凹状部の外周か、又は、アンカの外周をボビン部として巻き回され、敷設ユニットから敷設のためにアンカの放出により引き出されると、ボビン部に巻き回されていたときの径よりも大きな径の螺旋状に引き出されることを特徴とする。
【００１２】
本発明によれば、敷設ユニットの凹状部の外周か、又は、アンカの外周をボビン部として巻き回されるが、わな線は、敷設ユニットから敷設のために引き出されると、ボビン部に巻き回されていたときの径よりも大きな径の螺旋状に引き出されることから、敷設ユニットのボビン部の大きさは小さなものすることができ、これにより装置の小型化を図ることが可能になる。
【発明の効果】
【００１３】
本発明の仕掛け罠装置によれば、わな線は敷設ユニットから螺旋状を呈するように引き出される合金であることから、平坦な地形の箇所などに罠として仕掛けるときでも杭や樹木などを使用しなくとも、侵入者の靴（足）や獣類の足などに係止し易くなり、その状態を持続し、敷設ユニットのスイッチ類を作動させる引張り力も得ることが可能になる。また、敷設ユニットに、わな線が巻き回されるボビン部を備え、敷設ユニットから敷設のために引き出されると、ボビン部に巻き回されていたときの径よりも大きな径の螺旋状に引き出されることから、敷設ユニットのボビン部の大きさは小さなものとすることができ、これにより装置の小型化を図ることが可能になる。
【発明を実施するための最良の形態】
【００１４】
以下に、本発明の実施の形態を、図面を引用しながら説明する。
本実施の形態は、図１から図３に示するように、軍事用の施設や飛行場などへの立ち入りを防止するために、侵入者の靴（足）が仕掛け罠の線（ワイヤ）に引っかかると、光を照射させる仕掛け罠装置１であり、草地や土面などの所定の地形箇所に仕掛けられるわな線（ワイヤ）Ｗと、わな線Ｗを敷設する敷設ユニットＷＵと、所定のスイッチ類Ｓｓ等を備える。本実施の形態の仕掛け罠装置１は、監視・警報装置や検知装置等とも呼ばれる構成のものであり、警戒音・威嚇音を発生させるようにすることもできる。
【００１５】
仕掛け罠装置１は、中央に表示灯ＳＲが立設され、その両側に１対の敷設ユニットＷＵが装置１に形成される穴１ａに埋め込まれるように配されている。各敷設ユニットＷＵは、草地や土などの地面上に放出されるアンカ２と、アンカ２を詰め込む凹状部３Ｕと、アンカ２を放出させる弾性部材２ｂ、アンカ２と連結されるわな線Ｗと、接点３ｓ等を備え（図４，図５）、わな線（ワイヤ）Ｗに侵入者の靴（足）などが係止され、わな線Ｗを引っ張ることにより、表示灯ＳＲが点灯する仕組みである。敷設ユニットＷＵは、上記装置１の穴１ａに埋め込まれるように配され、装置１に配される位置決めピン１ｐにより上記装置１の穴１ａ内で移動しないようにされている。なお、本実施の形態では、敷設ユニットＷＵは、アンカ２の放出により、接点３ｓを残して交換して使用される。
【００１６】
アンカ２は、弾性部材２ｂの弾性力を利用して草地や土面などの所定の地形箇所に放出されるもので、先端が尖塔状を呈する頭部２ｔと、頭部２ｔの下方の筒状部２ｇと、その下方に突出するホルダ２ｈと弾性部材２ｂを主な構成としている。頭部２ｔには、安全ピンｐが差し込まれる穴２ａが形成され、安全ピンｐが差し込まれ、かかる構造により、不意にアンカ２が飛び出さないようにするロック手段になっている。安全ピンｐは、上記装置１の穴１ａと連通するように形成される切り欠き部１ｋから解除操作が行われる。また、頭部２ｔの内側には、弾性部材２ｂを固定するための内側凹部ｍｂが形成されている。ホルダ２ｈは、棒状を呈し、後端は解除手段３ｆに対して着脱自在な形状、つまり後方側は解除部材３ｆとの係止状態を得るように縮径部２ｈａとして形成されている。上記筒状部２ｇには、ナイロン糸Ｎを介してわな線Ｗが取り付けられる。ホルダ２ｈの上方側は頭部２ｔと連結され、ホルダ２ｈには、敷設ユニットＷＵの弾性部材であるバネ２ｂが棒状の長手方向に差し込まれるよう配される（図５）。弾性部材であるバネ２ｂは、アンカ２の頭部２ｔの内側凹部ｍｂと凹状部３Ｕの下方側の溝ｍａとの間において、位置ずれしないように配されている。
【００１７】
敷設ユニットＷＵは、アンカ２を放出して地面に敷設するための構造を有し、アンカ２を詰め込む凹状部３Ｕ等を有する基台３が配され、この基台３には、アンカ２のホルダ２ｈの係止状態を解除する解除手段３ｆと、解除手段３ｆを移動させるためのガス発生器３ｔと、わな線作動検知用のマイクロスイッチ３ｍ等を備える（図５）。凹状部３Ｕの内壁には、アンカ２の頭部２ｔを係止する突出部ｔｂが形成されている。ガス発生器３ｔは、ガスが封入されるカップとリード線ｒ１付きの点火玉とを備え、点火玉は、フィラメントが有り、このフィラメントの一部に微少な火薬が塗布されている。したがって、仕掛け罠装置１のスイッチＳｓによりリード線ｒ１を介して電気が流れると、ガス発生器３ｔが発火し、これにより解除手段３ｆを押し出すように移動させる。なお、図４、図５中の符号３ｓは、本体部（仕掛け罠装置１）と敷設ユニットＷＵの電気回路を接続する接点であり、スイッチ用に２個、ガス発生器３ｔの点火用に２個の合計４個設けられている。
【００１８】
解除手段３ｆは、アンカ２のホルダ２ｈが係止状態におかれるとともにその解除が行われるもので、ホルダ２ｈの縮径部２ｈａを係止する径の狭い部分ｆａと、係止が解除される径の広い部分ｆｂを有し、ホルダ２ｈの縮径部２ｈａを着脱可能にする形状になっている（図７、図８）。また、解除手段３ｆは、シャーピン３ｙにより通常は移動しないようになっている。このような解除手段３ｆは、基台３に形成される円筒状の空洞にガス発生器３ｔとともに装着されている。そして、解除手段３ｆからアンカ２のホルダ２ｈの縮径部２ｈａが解除されると、アンカ２は弾性部材２ｂの弾性力を利用して草地や土面などの所定の地形箇所に放出される。
【００１９】
わな線Ｗは、コイル状に加工された合金であり、このわな線Ｗがその先端側に取り付けられるアンカ２を介して敷設ユニットＷＵのボビン部３Ｂから螺旋状を呈するように引き出され適度な高さ姿勢を保持する。このような合金としては、形状記憶合金でも良いが、螺旋状を呈し適度な高さ姿勢を保持するように引き出されるとともにスイッチ３ｍを作動させる引張り力を有するような好適なものとしてはいわゆる超弾性特性を有する形状記憶合金が好ましい。例えば、ＮｉとＴｉとを含む（Ｎｉ−Ｔｉ系素材）超弾性特性を有する形状記憶合金を用いることができる。形状記憶合金とは、ある形状の合金を低温相（マルテンサイト）の状態で異なる形状に変形させても高温相（母相）が安定になる温度に加熱すると逆変態が起こり、変形前の状態に戻る現象を有する合金であり、超弾性、すなわち負荷時の応力誘起マルテンサイト変態によって生じた変形が除荷時に逆変態によって回復する性質を有することにより、塑性変形せずにゴムのような弾性力が得られる。このような基台３の上方側の外周をボビン部３Ｂとして巻き回される。ここで、コイル状に加工された合金であるわな線Ｗは、そのコイル状の径よりも小さなボビン部３Ｂの径になるように整列状態で巻き回されている。なお、わな線Ｗをアンカ２の外周に巻き付けることも可能であるが、その径が小さすぎるためにボビン部３Ｂに巻き回している。そして、この超弾性合金製のわな線Ｗが敷設ユニットＷＵから敷設のために引き出されると、ボビン部に巻き回されていたときの径よりも約３倍ほどの大きな径の螺旋状に引き出されることなる。なお、わな線Ｗの両端をナイロン糸Ｎが連結されている理由は、アンカ２とマイクロスイッチ３ｍを動作させる揺動部（取り付けプレート３ｐ）との接合を容易にするためと、わな線Ｗを敷設ユニットＷＵの外周のボビン部３Ｂに巻き付けたとき、整列状態で巻き回されているわな線Ｗの解除（解ける）事態をナイロン糸Ｎの巻き付けで防止するためである。
【００２０】
わな線Ｗは、その両端に適度な緩衝状態を持って展開される緩衝用のナイロン糸Ｎが連結されている。アンカ２側は、緩衝用ナイロン糸Ｎが二股に分かれ、アンカ２の筒状部２ｇに固定用ビスｔａを介して連結されている。わな線Ｗの他端は、緩衝用ナイロンＮを介して敷設ユニットＷＵに取り付けられたわな線作動検知用のマイクロスイッチ３ｍが取り付けられる取り付けプレート３ｐと連結されている（図５，図６）。取り付けプレート３ｐは、これを回転させる軸Ｊが配されるとともに、所定の壁面３ｄとの間には、バネ部材Ｂｂが介在されており、わな線Ｗが引っ張られると、軸Ｊを中心に回転可能に連結され、これに取り付けられるマイクロスイッチ３ｍは、取り付けプレート３ｐの回動により、所定の壁面３ｄと接触する。わな線Ｗの他端側は、凹状部３Ｕの先端側に形成される切り欠き溝から外に引き出されてボビン３Ｂに巻きまわされ、そして、敷設ユニットＷＵの所定箇所に形成された孔ａを介して取り付けプレート３ｐと連結されている（図６）。
【００２１】
したがって、軍事用の施設や飛行場などへの立ち入りを防止するために、本実施の形態の仕掛け罠装置を使用して罠を仕掛けるためには、安全ピンｐを外し、仕掛け罠装置１のスイッチ類Ｓｓを操作し、ガス発生器３ｔの点火玉をそのリード線を介して着火させると、ガス発生器３ｔの解除手段３ｆ側からガス圧が出ることにより、解除手段３ｆがシャーピン３ｙをせん断して移動され、これによりアンカ２のホルダ２ｈの縮径部２ｈａが解除手段３ｆの径の広い部分ｆｂに移動させられ、解除状態になる（図７、図８）。なお、シャーピン３ｙはせん断され、その断面を図８の符号３ｚとして示す。解除状態になると、アンカ２は弾性部材２ｂの弾性力を利用して草地や土面などの所定の地形箇所に放出され、放出されながらボビン部３Ｂに巻き回されていたわな線Ｗが巻き回されていたコイル状から螺旋状に引き出される。そして、わな線Ｗの両端に結合されていたナイロン糸Ｎにより、適度に展開され、草地や土面などの所定の地形箇所に着地し、着地したときには螺旋形状を形成し、侵入者の靴（足）や獣類の足などに引っかかり易い空間を形成する（図３）。アンカ２にナイロン糸Ｎを介して所定の空間を形成するように展開すると、侵入者の靴（足）が引っかかると瞬時にして足の周りにまとわりつくようになる。その結果、わな線Ｗが引っ張られ、わな線Ｗとナイロン糸Ｎを介して連結されている取り付けプレート３ｐがばね部材に抗して揺動して、マイクロスイッチ３ｍをＯＮ状態にすると（図６）、表示灯ＳＲが点灯し、侵入者があることを知らせる。
【図面の簡単な説明】
【００２２】
【図１】本考案の一実施の形態の敷設ユニットが配される仕掛け罠装置を示す斜視図である。
【図２】上記一実施の形態の敷設ユニットが配される仕掛け罠装置を示す斜視図である。
【図３】上記一実施の形態の敷設ユニットからわな線が引き出された状態を示す斜視図である。
【図４】上記一実施の形態の敷設ユニットが配される仕掛け罠装置を示す断面図である。
【図５】上記一実施の形態の敷設ユニットを示す断面図である。
【図６】上記一実施の形態の敷設ユニットのスイッチとわな線との位置関係を示す断面図である。
【図７】上記一実施の形態の敷設ユニットのガス発生器とアンカのホルダとの係止状態を示す断面図である。
【図８】上記一実施の形態の敷設ユニットのガス発生器とアンカのホルダとの解除状態を示す断面図である。
【符号の説明】
【００２３】
１        仕掛け罠装置、
２        アンカ  ２ｂ  弾性部材、２ｔ  頭部、２ｇ  筒状部、２ｈ  ホルダ、
３        基台、
３Ｂ      ボビン部、３ｆ      解除手段、３Ｕ      凹状部、３ｔ  ガス発生器、
３ｐ      取り付けプレート、３ｍ    マイクロスイッチ、
Ｊ        軸、
Ｎ        ナイロン糸
ＷＵ      敷設ユニット、
Ｗ        わな線
【図１】
2006252403.tif 000003
【図２】
2006252403.tif 000004
【図３】
2006252403.tif 000005
【図４】
2006252403.tif 000006
【図５】
2006252403.tif 000007
【図６】
2006252403.tif 000008
【図７】
2006252403.tif 000009
【図８】
2006252403.tif 000010